(57)【要約】【課題】ＰＤＡなど、ペンによるタッチ操作に応じて種々の情報処理動作を行うようにしたペン入力装置で、ペンの様々な使われ方に応じて装置を最適制御する。【解決手段】ペン１４のペン収納部１４Ａに対する収納状態とペン立て部１４Ｂに対する収納状態とを、その各々の収納センサ１４a1，１４b1および収納状態センサ１４a2，１４b2により検出すると共に、この各センサ１４a1，１４a2，１４b1，１４b2によるペン１４の収納／取り出しに伴う各検出状態を条件として、電源のＯＮ／ＯＦＦや各種アプリケーションの起動をも含む各種の装置動作を対応付けて動作登録テーブルとして登録し、装置本体に対するペン１４の様々な状態を検出して、これに対応する装置動作を前記動作登録テーブルから検索することで、ペン１４の状態に最適な装置動作を実行できるので、電源制御だけでなく、ユーザがこれから必要とする動作を効率よく実行させることができる。【選択図】      図１
2005339264.tif 000002
【特許請求の範囲】
【請求項１】
ペンによる入力位置を検出するペン入力用パネル部と、ペンを収納するペン収納部とが設けられたペン入力装置であって、
前記ペン収納部に収納されたペンの複数の収納状態を検出する収納状態検出手段と、
前記ペンのペン収納部に対する複数の収納状態の各々に対応付けて実行すべき動作内容を記憶する動作内容記憶手段と、
前記収納状態検出手段により検出されるペンの収納状態が変化した場合に、当該収納状態検出手段によるペンの収納状態の検出結果に対応付けられて前記動作内容記憶手段により記憶されている実行すべき動作内容を検索しその動作を実行する動作制御手段と、
を備えたことを特徴とするペン入力装置。
【請求項２】
前記動作制御手段は、前記収納状態検出手段により検出されるペンの収納状態が当該ペンのペン収納部からの取り出しに伴い変化した場合に、前記収納状態検出手段によるペンの取り出し直前の収納状態の検出結果に対応付けられて前記動作内容記憶手段により記憶されている実行すべき動作内容を検索しその動作を実行することを特徴とする請求項１に記載のペン入力装置。
【請求項３】
前記動作制御手段は、前記収納状態検出手段により検出されるペンの収納状態が当該ペンのペン収納部に対する収納に伴い変化した場合に、前記収納状態検出手段によるペンの収納後の収納状態の検出結果に対応付けられて前記動作内容記憶手段により記憶されている実行すべき動作内容を検索しその動作を実行することを特徴とする請求項１に記載のペン入力装置。
【請求項４】
前記動作制御手段は、前記収納状態検出手段により検出されるペンの収納状態が当該ペンのペン収納部内における動きに伴い変化した場合に、前記収納状態検出手段によるペンの動きの前後の収納状態の検出結果に対応付けられて前記動作内容記憶手段により記憶されている実行すべき動作内容を検索しその動作を実行することを特徴とする請求項１に記載のペン入力装置。
【請求項５】
前記動作制御手段は、前記収納状態検出手段により検出されるペンの収納状態が当該ペンのペン収納部からの取り出しに伴い変化した場合には、前記収納状態検出手段によるペンの取り出し直前の収納状態の検出結果に対応付けられて前記動作内容記憶手段により記憶されている実行すべき動作内容を検索してその動作を実行し、前記収納状態検出手段により検出されるペンの収納状態が当該ペンのペン収納部に対する収納に伴い変化した場合には、前記収納状態検出手段によるペンの収納後の収納状態の検出結果に対応付けられて前記動作内容記憶手段により記憶されている実行すべき動作内容を検索してその動作を実行することを特徴とする請求項１に記載のペン入力装置。
【請求項６】
前記動作制御手段は、前記収納状態検出手段により検出されるペンの収納状態が当該ペンのペン収納部からの取り出しに伴い変化した場合には、前記収納状態検出手段によるペンの取り出し直前の収納状態の検出結果に対応付けられて前記動作内容記憶手段により記憶されている実行すべき動作内容を検索してその動作を実行し、前記収納状態検出手段により検出されるペンの収納状態が当該ペンのペン収納部に対する収納に伴い変化した場合には、前記収納状態検出手段によるペンの収納後の収納状態の検出結果に対応付けられて前記動作内容記憶手段により記憶されている実行すべき動作内容を検索してその動作を実行し、前記収納状態検出手段により検出されるペンの収納状態が当該ペンのペン収納部内における動きに伴い変化した場合に、前記収納状態検出手段によるペンの動きの前後の収納状態の検出結果に対応付けられて前記動作内容記憶手段により記憶されている実行すべき動作内容を検索しその動作を実行することを特徴とする請求項１に記載のペン入力装置。
【請求項７】
前記動作内容記憶手段は、前記ペンのペン収納部に対する収納状態と本装置が実行すべき動作内容とを任意に入力させる入力手段を有し、この入力手段により入力された前記ペンのペン収納部に対する収納状態と実行すべき動作内容とを対応付けた複数の組み合わせを記憶することを特徴とする請求項１乃至請求項６に記載のペン入力装置。
【請求項８】
ペンによる入力位置を検出するペン入力用パネル部と、ペンを収納するペン収納部とが設けられたペン入力装置であって、
前記ペン収納部に収納されたペンの複数の収納状態を検出する収納状態検出手段と、
本装置の動作変化の状態と前記ペンのペン収納部に対する複数の収納状態との組み合わせの各々に対応付けて実行すべき動作内容を記憶する動作内容記憶手段と、
本装置の動作が変化した場合に、この動作変化の状態と前記収納状態検出手段により検出されるペンの収納状態との組み合わせに対応付けられて前記動作内容記憶手段により記憶されている実行すべき動作内容を検索しその動作を実行する動作制御手段と、
を備えたことを特徴とするペン入力装置。
【請求項９】
前記動作内容記憶手段は、本装置の動作変化の状態と前記ペンのペン収納部に対する収納状態と本装置が実行すべき動作内容とを任意に入力させる入力手段を有し、この入力手段により入力された本装置の動作変化の状態と前記ペンのペン収納部に対する収納状態と実行すべき動作内容とを対応付けた複数の組み合わせを記憶することを特徴とする請求項８に記載のペン入力装置。
【請求項１０】
前記ペン収納部は、装置本体に対しペンを寝かせた状態にして収納する第１のペン収納部と、ペンを立たせた状態にして収納する第２のペン収納部とを有することを特徴とする請求項１乃至請求項９の何れか１項に記載のペン入力装置。
【請求項１１】
ペンによる入力位置を検出するペン入力用パネル部と、ペンを収納するペン収納部とが設けられたペン入力装置のコンピュータを制御するための制御プログラムであって、
前記コンピュータを、
前記ペン収納部に収納されたペンの複数の収納状態を検出する収納状態検出手段、
前記ペンのペン収納部に対する複数の収納状態の各々に対応付けて実行すべき動作内容を記憶する動作内容記憶手段、
前記収納状態検出手段により検出されるペンの収納状態が変化した場合に、当該収納状態検出手段によるペンの収納状態の検出結果に対応付けられて前記動作内容記憶手段により記憶されている実行すべき動作内容を検索しその動作を実行する動作制御手段、
として機能させるようにしたペン入力制御プログラム。
【請求項１２】
ペンによる入力位置を検出するペン入力用パネル部と、ペンを収納するペン収納部とが設けられたペン入力装置のコンピュータを制御するための制御プログラムであって、
前記コンピュータを、
前記ペン収納部に収納されたペンの複数の収納状態を検出する収納状態検出手段、
本装置の動作変化の状態と前記ペンのペン収納部に対する複数の収納状態との組み合わせの各々に対応付けて実行すべき動作内容を記憶する動作内容記憶手段、
本装置の動作が変化した場合に、この動作変化の状態と前記収納状態検出手段により検出されるペンの収納状態との組み合わせに対応付けられて前記動作内容記憶手段により記憶されている実行すべき動作内容を検索しその動作を実行する動作制御手段、
として機能させるようにしたペン入力制御プログラム。
【発明の詳細な説明】
【技術分野】
【０００１】
本発明は、ＰＤＡ(personal digital assistant)など、ペンによるタッチ操作に応じて種々の情報処理動作を行うようにしたペン入力装置およびその制御プログラムに関する。
【背景技術】
【０００２】
例えばＰＤＡなどの携帯端末装置では、従来からペンタッチによる入力操作に従い種々の動作を実行するようにしたペン入力装置が実用されている。
【０００３】
このようなペン入力装置では、その入力操作用のペンは例えば装置本体の表面に窪みや穴などで設けられたペン収納部に収納されて保持され、入力操作などの必要に応じて取り出されて使用される。
【０００４】
このため、ペンをペン収納部に収納した状態では、これを検出して装置の電源をＯＦＦにし、ペンを取り出した状態では、これを検出して装置の電源をＯＮにすることで、消費電力の無駄を軽減したペン入力装置が考えられている（例えば、特許文献１、特許文献２参照。）。
【０００５】
また、最近では、前記ペンの取り出し、ペンの収納に応じた電源のＯＮ／ＯＦＦ制御だけでなく、収納されているペンの回転状態によって電源制御のパターンを選択的に設定することで、ペンを収納していても電源ＯＮのままに維持することもできるようにしたペン入力装置も考えられている（例えば、特許文献３参照。）。
【特許文献１】特開平０５−３０３４５２号公報
【特許文献２】特開平０６−１６１６１８号公報
【特許文献３】特開平１１−０６６０１１号公報
【発明の開示】
【発明が解決しようとする課題】
【０００６】
しかしながら、前記従来のペン入力装置にあっては、ペンの収納、取り出し、そして収納時の回転状態に応じて、何れも何らかの電源制御を行うものであるが、このペンの状態に応じた電源制御だけでは、ペンの様々な使われ方に応じて装置を最適制御することはできない。
【０００７】
本発明は、前記のような課題に鑑みなされたもので、ペンの様々な使われ方に応じて装置を最適制御することが可能になるペン入力装置及びその制御プログラムを提供することを目的とする。
【課題を解決するための手段】
【０００８】
本発明の請求項１（請求項１１）に記載のペン入力装置（ペン入力制御プログラム）では、ペン収納部に収納されたペンの複数の収納状態を検出する収納状態検出手段と、前記ペンのペン収納部に対する複数の収納状態の各々に対応付けて実行すべき動作内容を記憶する動作内容記憶手段とを備え、前記収納状態検出手段により検出されるペンの収納状態が変化した場合に、当該収納状態検出手段によるペンの収納状態の検出結果に対応付けられて前記動作内容記憶手段により記憶されている実行すべき動作内容を検索しその動作を実行することを特徴とする。
【０００９】
これによれば、ペン収納部に対するペンの収納状態の変化に応じて最適な装置動作が実行されることになる。
【００１０】
本発明の請求項２に記載のペン入力装置では、前記請求項１に記載のペン入力装置にあって、前記収納状態検出手段により検出されるペンの収納状態が当該ペンのペン収納部からの取り出しに伴い変化した場合に、前記収納状態検出手段によるペンの取り出し直前の収納状態の検出結果に対応付けられて前記動作内容記憶手段により記憶されている実行すべき動作内容を検索しその動作を実行することを特徴とする。
【００１１】
これによれば、ペン収納部からのペンの取り出しに伴うその取り出し直前のペン収納状態に応じて最適な装置動作が実行されることになる。
【００１２】
本発明の請求項３に記載のペン入力装置では、前記請求項１に記載のペン入力装置であって、前記収納状態検出手段により検出されるペンの収納状態が当該ペンのペン収納部に対する収納に伴い変化した場合に、前記収納状態検出手段によるペンの収納後の収納状態の検出結果に対応付けられて前記動作内容記憶手段により記憶されている実行すべき動作内容を検索しその動作を実行することを特徴とする。
【００１３】
これによれば、ペン収納部に対するペンの収納に伴うその収納直後のペン収納状態に応じて最適な装置動作が実行されることになる。
【００１４】
本発明の請求項４に記載のペン入力装置では、前記請求項１に記載のペン入力装置にあって、前記収納状態検出手段により検出されるペンの収納状態が当該ペンのペン収納部内における動きに伴い変化した場合に、前記収納状態検出手段によるペンの動きの前後の収納状態の検出結果に対応付けられて前記動作内容記憶手段により記憶されている実行すべき動作内容を検索しその動作を実行することを特徴とする。
【００１５】
これによれば、ペン収納部内でのペンの動きに伴うその動きの前後のペン収納状態に応じて最適な装置動作が実行されることになる。
【００１６】
本発明の請求項５に記載のペン入力装置では、前記請求項１に記載のペン入力装置にあって、前記収納状態検出手段により検出されるペンの収納状態が当該ペンのペン収納部からの取り出しに伴い変化した場合には、前記収納状態検出手段によるペンの取り出し直前の収納状態の検出結果に対応付けられて前記動作内容記憶手段により記憶されている実行すべき動作内容を検索してその動作を実行し、前記収納状態検出手段により検出されるペンの収納状態が当該ペンのペン収納部に対する収納に伴い変化した場合には、前記収納状態検出手段によるペンの収納後の収納状態の検出結果に対応付けられて前記動作内容記憶手段により記憶されている実行すべき動作内容を検索してその動作を実行することを特徴とする。
【００１７】
これによれば、ペン収納部からのペンの取り出しに伴うその取り出し直前のペン収納状態や同ペン収納部に対するペンの収納に伴うその収納直後のペン収納状態に応じてそれぞれ最適な装置動作が実行されることになる。
【００１８】
本発明の請求項６に記載のペン入力装置では、前記請求項１に記載のペン入力装置にあって、前記収納状態検出手段により検出されるペンの収納状態が当該ペンのペン収納部からの取り出しに伴い変化した場合には、前記収納状態検出手段によるペンの取り出し直前の収納状態の検出結果に対応付けられて前記動作内容記憶手段により記憶されている実行すべき動作内容を検索してその動作を実行し、前記収納状態検出手段により検出されるペンの収納状態が当該ペンのペン収納部に対する収納に伴い変化した場合には、前記収納状態検出手段によるペンの収納後の収納状態の検出結果に対応付けられて前記動作内容記憶手段により記憶されている実行すべき動作内容を検索してその動作を実行し、前記収納状態検出手段により検出されるペンの収納状態が当該ペンのペン収納部内における動きに伴い変化した場合に、前記収納状態検出手段によるペンの動きの前後の収納状態の検出結果に対応付けられて前記動作内容記憶手段により記憶されている実行すべき動作内容を検索しその動作を実行することを特徴とする。
【００１９】
これによれば、ペン収納部からのペンの取り出しに伴うその取り出し直前のペン収納状態や同ペン収納部に対するペンの収納に伴うその収納直後のペン収納状態、さらには同ペン収納部内でのペンの動きに伴うその動きの前後のペン収納状態に応じて、それぞれ最適な装置動作が実行されることになる。
【００２０】
本発明の請求項７に記載のペン入力装置では、前記請求項１乃至請求項６に記載のペン入力装置にあって、前記動作内容記憶手段は、前記ペンのペン収納部に対する収納状態と本装置が実行すべき動作内容とを任意に入力させる入力手段を有し、この入力手段により入力された前記ペンのペン収納部に対する収納状態と実行すべき動作内容とを対応付けた複数の組み合わせを記憶することを特徴とする。
【００２１】
これによれば、ペンのペン収納部に対する収納状態と本装置が実行すべき動作内容とをユーザが任意に指定入力して記憶させることができることになる。
【００２２】
本発明の請求項８（請求項１２）に記載のペン入力装置（ペン入力制御プログラム）では、ペン収納部に収納されたペンの複数の収納状態を検出する収納状態検出手段と、本装置の動作変化の状態と前記ペンのペン収納部に対する複数の収納状態との組み合わせの各々に対応付けて実行すべき動作内容を記憶する動作内容記憶手段とを備え、本装置の動作が変化した場合に、この動作変化の状態と前記収納状態検出手段により検出されるペンの収納状態との組み合わせに対応付けられて前記動作内容記憶手段により記憶されている実行すべき動作内容を検索しその動作を実行することを特徴とする。
【００２３】
これによれば、本装置の動作変化の状態とペン収納部に対するペンの収納状態との組み合わせに応じて最適な装置動作が実行されることになる。
【００２４】
本発明の請求項９に記載のペン入力装置では、前記請求項８に記載のペン入力装置にあって、前記動作内容記憶手段は、本装置の動作変化の状態と前記ペンのペン収納部に対する収納状態と本装置が実行すべき動作内容とを任意に入力させる入力手段を有し、この入力手段により入力された本装置の動作変化の状態と前記ペンのペン収納部に対する収納状態と実行すべき動作内容とを対応付けた複数の組み合わせを記憶することを特徴とする。
【００２５】
これによれば、本装置の動作変化の状態とペンのペン収納部に対する収納状態と本装置が実行すべき動作内容とをユーザが任意に指定入力して記憶させることができることになる。
【００２６】
本発明の請求項１０に記載のペン入力装置では、前記請求項１乃至請求項９の何れか１項に記載のペン入力装置にあって、前記ペン収納部は、装置本体に対しペンを寝かせた状態にして収納する第１のペン収納部と、ペンを立たせた状態にして収納する第２のペン収納部とを有することを特徴とする。
【００２７】
これによれば、装置本体に対し、ペンを寝かせた状態にして収納する第１のペン収納部とペンを立たせた状態にして収納する第２のペン収納部との各ペン収納部におけるペンの収納状態の変化に応じて最適な装置動作が実行されることになる。
【発明の効果】
【００２８】
本発明の請求項１（請求項１１）に記載のペン入力装置（ペン入力制御プログラム）によれば、ペン収納部に対するペンの収納状態の変化に応じて最適な装置動作を実行することができる。
【００２９】
本発明の請求項２に記載のペン入力装置によれば、前記請求項１に記載のペン入力装置にあって、ペン収納部からのペンの取り出しに伴うその取り出し直前のペン収納状態に応じて最適な装置動作を実行することができる。
【００３０】
本発明の請求項３に記載のペン入力装置によれば、前記請求項１に記載のペン入力装置であって、ペン収納部に対するペンの収納に伴うその収納直後のペン収納状態に応じて最適な装置動作を実行することができる。
【００３１】
本発明の請求項４に記載のペン入力装置によれば、前記請求項１に記載のペン入力装置にあって、ペン収納部内でのペンの動きに伴うその動きの前後のペン収納状態に応じて最適な装置動作を実行することができる。
【００３２】
本発明の請求項５に記載のペン入力装置によれば、前記請求項１に記載のペン入力装置にあって、ペン収納部からのペンの取り出しに伴うその取り出し直前のペン収納状態や同ペン収納部に対するペンの収納に伴うその収納直後のペン収納状態に応じてそれぞれ最適な装置動作を実行することができる。
【００３３】
本発明の請求項６に記載のペン入力装置によれば、前記請求項１に記載のペン入力装置にあって、ペン収納部からのペンの取り出しに伴うその取り出し直前のペン収納状態や同ペン収納部に対するペンの収納に伴うその収納直後のペン収納状態、さらには同ペン収納部内でのペンの動きに伴うその動きの前後のペン収納状態に応じて、それぞれ最適な装置動作を実行することができる。
【００３４】
本発明の請求項７に記載のペン入力装置によれば、前記請求項１乃至請求項６に記載のペン入力装置にあって、ペンのペン収納部に対する収納状態と本装置が実行すべき動作内容とをユーザが任意に指定入力して記憶させることができる。
【００３５】
本発明の請求項８（請求項１２）に記載のペン入力装置（ペン入力制御プログラム）によれば、本装置の動作変化の状態とペン収納部に対するペンの収納状態との組み合わせに応じて最適な装置動作を実行することができる。
【００３６】
本発明の請求項９に記載のペン入力装置によれば、前記請求項８に記載のペン入力装置にあって、本装置の動作変化の状態とペンのペン収納部に対する収納状態と本装置が実行すべき動作内容とをユーザが任意に指定入力して記憶させることができる。
【００３７】
本発明の請求項１０に記載のペン入力装置によれば、前記請求項１乃至請求項９の何れか１項に記載のペン入力装置にあって、装置本体に対し、ペンを寝かせた状態にして収納する第１のペン収納部とペンを立たせた状態にして収納する第２のペン収納部との各ペン収納部におけるペンの収納状態の変化に応じて最適な装置動作を実行することができる。
【００３８】
よって、ペンの様々な使われ方に応じて装置を最適制御することが可能になるペン入力装置及びその制御プログラムを提供できる。
【発明を実施するための最良の形態】
【００３９】
以下図面により本発明の実施の形態について説明する。
【００４０】
図１は、本発明の実施形態に係るペン入力装置を搭載した携帯端末装置１０の外観構成を示す図であり、同図（Ａ）はその正面を手前から見た斜視図、同図（Ｂ）はその右側面の部分断面図である。
【００４１】
この携帯端末装置１０は、本体１０Ａの正面の略全域が表示画面となる表示部１５が備えられ、この表示部１５の画面上には、ペンタッチ操作による入力位置を検出するための透明のタッチパネル１５ａが重ねて設けられる。
【００４２】
そして、表示部１５が備えられた装置正面の右端には、タッチ入力用のペン１４の形状に対応して窪ませたペン収納部１４Ａが設けられ、またこのペン収納部１４Ａの手前側には、ペン１４を立てた状態にして収納するためのペン立て部１４Ｂが設けられる。
【００４３】
前記ペン収納部１４Ａ及びペン立て部１４Ｂには、そのそれぞれにペン１４が収納されたことを検出して収納検出信号を出力する収納センサ１４a1および１４b1が設けられると共に、当該ペン収納部１４Ａ及びペン立て部１４Ｂに収納されたペン１４の状態、とりわけペン１４の収納された状態での回転方向の向きを検出して回転方向検出信号を出力する収納状態センサ１４a2および１４b2が設けられる。
【００４４】
図２は、前記携帯端末装置１０のペン収納部１４Ａおよびペン立て部１４Ｂに設けられた収納状態センサ１４a2および１４b2によるペン１４の回転方向検出原理を示す図である。
【００４５】
すなわち、前記各収納状態センサ１４a2および１４b2では、ペン１４の収納部壁面に沿った周方向に等間隔で何れも円周中心に向けて埋設された複数の磁力検出コイルＬ１，Ｌ２，Ｌ３，…により、ペン１４の内部に半径方向へ向けて内蔵された反応コイルＬからの反応電磁力を検出することでペン１４がどのような回転方向にあって収納されているかを検出するもので、ここで、ペン１４の基準の向きは、反応コイルＬによって反応電磁力が発生する方向Ｘとされる。
【００４６】
図３は、前記携帯端末装置１０におけるペン１４の基準の向きＸおよびその８等分の回転検出方向に対応させたペン表面の設定状態表記マークＭ１，Ｍ２，…を示す図であり、同図（Ａ）は設定状態表記マークＭｎの表記例を示す図、同図（Ｂ）は８等分の回転検出方向を示す図である。
【００４７】
すなわち、この携帯端末装置１０では、ペン収納部１４Ａやペン立て部１４Ｂに収納されたペン１４の回転方向を検出し、この回転方向に応じて例えば８通りの装置の状態を設定可能なもので、例えばペン１４の設定状態表記マークＭ１「アプリＡ」を上にした状態で当該ペン１４をペン収納部１４Ａから取り出すと、装置内蔵のＣＰＵ１１（図４参照）はアプリケーションＡを起動し、また、ペン１４の設定状態表記マークＭ２「スタンバイ」を上にした状態で当該ペン１４をペン収納部１４Ａに収納すると、装置１０はスタンバイ状態となり、また、ペン１４の設定状態表記マークＭ３「電源ＯＦＦ」を上にした状態で当該ペン１４をペン収納部１４Ａに収納すると、装置１０は電源ＯＦＦの状態となる。
【００４８】
図４は、前記携帯端末装置１０の電子回路の構成を示すブロック図である。
【００４９】
この携帯端末装置１０の電子回路は、制御部（ＣＰＵ）１１、記憶装置１２、ＲＡＭ１３、ペン収納部１４Ａの収納センサ１４a1および収納状態センサ１４a2、ペン立て部１４Ｂの収納センサ１４b1および収納状態センサ１４b2、表示部１５、タッチパネル１５ａ、入力部１６、記憶媒体読み取り部１８、伝送制御部１９より構成され、バス１７を介して相互に接続されている。
【００５０】
制御部（ＣＰＵ）１１は、入力部１２およびタッチパネル１５ａからの入力信号に応じて、記憶装置１２に予め記憶されている制御プログラム、あるいはＲＯＭ−ＣＡＲＤなどの外部記憶媒体１８ａからカードスロットなどの記憶媒体読み取り部１８を介して記憶装置１２に読み込まれた携帯端末制御プログラム、あるいは外部のコンピュータ端末（プログラムサーバ２１）の記憶装置２２から通信ネットワーク２０を経由し伝送制御部１９を介して記憶装置１２に読み込まれた携帯端末制御プログラムを起動させ、ＲＡＭ１３をワークメモリとして回路各部の動作を制御する。
【００５１】
記憶装置１２は、半導体メモリのＲＯＭやハードディスク装置ＨＤＤ等で構成し、本携帯端末装置１０の電源投入直後に制御部（ＣＰＵ）１１により読み出される前述の制御プログラムを予め格納している。
【００５２】
なお、この携帯端末制御プログラムには、この携帯端末装置１０の各種の搭載機能であるスケジュール管理プログラムやアドレス管理プログラム、文書作成プログラムや通信プログラムなどの他に、ペン１４によるタッチパネル１５ａ上でのタッチ操作に応じたデータ入力処理や前記ペン収納部１４Ａおよびペン立て部１４Ｂにおける各センサ１４a1，１４a2，１４b1，１４b2からの検出信号に応じた装置動作の状態設定処理などを行うためのペン入力制御プログラムなどが含まれる。
【００５３】
ＲＡＭ１３は、前述の制御プログラムを実行する際に制御部（ＣＰＵ）１１が使用するワークメモリである。
【００５４】
表示部１５は、前記各種のプログラム動作に応じて取得されたデータを表示するための液晶などのディスプレイ装置である。
【００５５】
入力部１６は、電源のＯＮ／ＯＦＦや装置１０の初期化（リセット）などを行うための、例えば電源スイッチやリセットスイッチなどの入力装置である。
【００５６】
ＲＡＭ１３には、前記各種のプログラム制御による装置動作に応じた作業用メモリが用意されるが、本実施形態の携帯端末装置１０では特に、前記ペン入力制御プログラムに従いペン１４のペン収納部１４Ａやペン立て部１４Ｂでの様々な収納状態に応じて装置動作を設定するための動作登録テーブル１３an（図５、図６参照）が用意される。
【００５７】
図５は、前記携帯端末装置１０のＲＡＭ１３に登録されて記憶されるペン１４の収納／取り出し状態に応じた動作登録テーブル（１）１３a1，（２）１３a2を示す図である。
【００５８】
図６は、前記携帯端末装置１０のＲＡＭ１３に登録されて記憶されるペン１４の収納／取り出し状態に応じた動作登録テーブル（３）１３a3，（４）１３a4を示す図である。
【００５９】
この動作登録テーブル（ｎ）１３anは、ペン収納部１４Ａおよびペン立て部１４Ｂにおけるペン１４の状態変化と装置動作の内容を対応付けて登録したもの［（１）１３a1〜（３）１３a3］、あるいは装置状態の変化時におけるペン１４の収納状態と次の装置動作の内容を対応付けて登録したもの［（４）１３a4］であり、例えば図５（Ａ）に示すように、動作登録テーブル（１）１３a1では、ペン１４をペン収納部１４Ａにその回転方向“１”〜“４”の間にして収納した際の装置動作が「電源ＯＦＦ（シャットダウン）」に設定され、ペン１４をペン収納部１４Ａにその回転方向“５”〜“８”の間にして収納した際の装置動作が「電源ＯＦＦ（ハイバネーション）」に設定され、ペン１４をペン立て部１４Ｂからその回転方向“２”の状態で取り出した際の装置動作が「太字書き（赤）」に設定される。
【００６０】
また、例えば図５（Ｂ）に示すように、動作登録テーブル（２）１３a2では、ペン１４をペン収納部１４Ａにおいて回転方向“１”→“２”へ回転した際の装置動作の内容やペン１４をペン立て部１４Ｂにおいて回転方向“３”→“５”へ回転した際の装置動作の内容が設定される。
【００６１】
また、例えば図６（Ａ）に示すように、動作登録テーブル（３）１３a3では、ペン１４をペン収納部１４Ａから取り出した際の装置動作が「電源ＯＮ＆データ受信（例えばシンクロＰＣから）」に設定され、ペン１４をペン収納部１４Ａに収納した際の装置動作が「データ転送（例えばシンクロＰＣへ）＆電源ＯＦＦ」に設定される。
【００６２】
さらに、例えば図６（Ｂ）に示すように、動作登録テーブル（４）１３a4では、装置１０における１つの処理動作が終了した際にペン１４が検出されないときの装置動作が「実行結果表示」に設定され、また、１つの処理動作が終了した際にペン１４がペン収納部１４Ａに回転方向“１”として収納されているときの装置動作が「ブザー鳴動」に設定され、また、外部からの着信動作があった際にペン１４がペン立て部１４Ｂに回転方向“５”として収納されているときの装置動作が「データ受信開始」などとして設定される。
【００６３】
次に、前記構成のペン入力装置を搭載した携帯端末装置１０の動作について説明する。
【００６４】
図７は、前記携帯端末装置１０のペン入力制御プログラムにより実行される動作登録テーブル（ｎ）１３anの登録処理を示すフローチャートである。
【００６５】
例えば図５（Ａ）（Ｂ）、図６（Ａ）で示した動作登録テーブル（１）１３a1〜（３）１３a3を作成登録する場合には、まず、表示画面上に選択的に表示されるペン１４の検出条件として、状態変化の内容（収納または取り出し）、収納部位（ペン収納部またはペン立て部）、収納向き（“１”〜“８”）を選択入力して指定する（ステップＳ１）。
【００６６】
そして、この指定したペン１４の検出条件に対応付けるべき装置動作の内容を、選択的に表示される動作内容の中から選択入力して指定する（ステップＳ２）。
【００６７】
すると、前記ステップＳ１にて入力指定されたペン１４の検出条件と前記ステップＳ２にて入力指定された装置動作の内容とが対応付けられて、ＲＡＭ１３内の動作登録テーブル（ｎ）１３anに記憶されて登録される（ステップＳ３）。
【００６８】
この後、前記同様のペン１４の検出条件の指定処理、及び装置動作の内容の指定処理を繰り返し行うことで、前記動作登録テーブル（１）１３a1〜（３）１３a3が作成登録される（ステップＳ４→Ｓ１〜Ｓ４）。
【００６９】
なお、動作登録テーブル（４）１３a4についても、前記図７における登録処理と略同様の手順を経て、装置動作の変化状態とペン１４の収納状態とを組み合わせた検出条件の指定処理、及び装置動作の内容の指定処理を繰り返し行うことで作成登録される。
【００７０】
図８は、前記前記携帯端末装置１０のペン入力制御プログラムにより実行されるペン１４の検出対応処理を示すフローチャートである。
【００７１】
このペン１４の検出対応処理は、ペン１４の収納／取り出し／収納中の回転がペン収納部１４Ａおよびペン立て部１４Ｂにおける収納センサ１４a1，１４b1や収納状態センサ１４a2，１４b2によって検出されることで割り込み起動されるもので（ステップＴ０）、まず、収納センサ１４a1，１４b1や収納状態センサ１４a2，１４b2からの割り込みにより得られたペン１４の状態変化の内容（収納または取り出し）、検出部位（ペン収納部またはペン立て部）、収納向き（“１”〜“８”）が取得される（ステップＴ１）。
【００７２】
すると、このステップＴ１において取得されたペン１４の状態変化の内容（収納または取り出し）、検出部位（ペン収納部またはペン立て部）、収納向き（“１”〜“８”）に対応する当該ペン１４の検出条件が、ＲＡＭ１３内に記憶された動作登録テーブル１３anより検索され（ステップＴ２）、対応条件の有無が判断される（ステップＴ３）。
【００７３】
そして、同ＲＡＭ１３内に記憶された動作登録テーブル１３anからペン１４の状態変化の内容、検出部位、収納向きに対応する検出条件が検索されて有ると判断された場合には（ステップＴ３）、当該ペン１４の検出条件に対応付けられて動作登録テーブル１３anから検索された装置動作の内容が取得され（ステップＴ４）、この取得された動作の制御が実行される（ステップＴ５）。
【００７４】
例えば、ＲＡＭ１３内に図５（Ａ）で示した動作登録テーブル（１）１３a1が登録されている場合に、ペン収納部１４Ａからのペン１４の取り出しがその収納センサ１４a1により検出されると共に、当該取り出し直前のペン１４の回転方向が“１”であることが収納状態センサ１４a2により検出されると、装置電源がＯＮされる。
【００７５】
続いて、ペン収納部１４Ａに対するペン１４の収納がその収納センサ１４a1により検出されると共に、当該収納されたペン１４の回転方向が“５”〜“８”であることが収納状態センサ１４a2により検出されると、電源ＯＦＦのハイバネーション状態にセットされる。
【００７６】
続いて、ペン収納部１４Ａからのペン１４の取り出しがその収納センサ１４a1により検出されると共に、当該取り出し直前のペン１４の回転方向が“２”であることが収納状態センサ１４a2により検出されると、記憶装置１２に記憶されているアプリケーションプログラムＡ（例えば文書作成処理）が起動される。
【００７７】
この後、ペン立て部１４Ｂからのペン１４の取り出しがその収納センサ１４b1により検出されると共に、当該取り出し直前のペン１４の回転方向が“１”であることが収納状態センサ１４b2により検出されると、ペン１４による手書き入力処理伴うペン入力軌跡の幅および表示色が細書きの黒色に設定される。
【００７８】
そして、ペン収納部１４Ａに対するペン１４の収納がその収納センサ１４a1により検出されると共に、当該収納されたペン１４の回転方向が“１”〜“４”であることが収納状態センサ１４a2により検出されると、電源ＯＦＦ（シャットダウン）の状態にセットされる。
【００７９】
一方、例えばＲＡＭ１３内に図６（Ｂ）で示した動作登録テーブル（４）１３a4が登録されている場合に、例えばシンクロＰＣからのデータ受信処理など、ある１つの処理動作が終了した際に、ペン１４がペン収納部１４Ａに収納されていることがその収納センサ１４a1により検出されると共に、当該ペン１４の回転方向が“２”であることが収納状態センサ１４a2により検出されると、前記データ受信されたデータはＲＡＭ１３に記憶され電源ＯＦＦにセットされる。
【００８０】
また、電送制御部１９を介して外部の通信ネットワーク２０から着信動作があった場合に、ペン１４がペン収納部１４Ａに収納されていることがその収納センサ１４a1により検出されると共に、当該ペン１４の回転方向が“３”であることが収納状態センサ１４a2により検出されると、着信相手に対して「ビジー応答」が行われる。
【００８１】
なお、図７における登録処理によって登録された設定内容の異なる各動作登録テーブル（１）１３a1〜（４）１３a4のうち何れのテーブルを用いるかは、ユーザにより必要に応じて適宜選択設定される。
【００８２】
したがって、前記構成の携帯端末装置１０によるペン入力機能によれば、ペン１４のペン収納部１４Ａに対する収納状態とペン立て部１４Ｂに対する収納状態とを、そのそれぞれの収納センサ１４a1，１４b1および収納状態センサ１４a2，１４b2により検出すると共に、この各センサ１４a1，１４a2，１４b1，１４b2によるペン１４の収納／取り出しに伴う各検出状態を条件として、電源のＯＮ／ＯＦＦや各種アプリケーションの起動をも含む各種の装置動作を対応付けて動作登録テーブル１３anとして登録し、装置本体に対するペン１４の様々な状態を検出して、これに対応する装置動作を前記動作登録テーブル１３anから検索することで、ペン１４の状態に最適な装置動作を実行できるので、電源制御だけでなく、ユーザがこれから必要とする動作を効率よく実行させることができる。
【００８３】
また、前記構成の携帯端末装置１０によるペン入力機能によれば、装置における処理の終了時などの装置自体の状態変化時におけるペン１４の収納状態を検出条件として、各種の装置動作を対応付けた動作登録テーブル（４）１３a4も登録することができ、装置の状態変化に起因してユーザがこれから必要とする動作も効率よく実行させることができる。
【００８４】
さらに、前記構成の携帯端末装置１０によるペン入力機能によれば、ペン１４のペン収納部１４Ａおよびペン立て部１４Ｂに対する収納状態は、当該ペン１４の収納時における回転方向の向きと、取り出し直前の回転方向の向きとして検出され、そのそれぞれの検出状態に最適な装置動作を設定できるので、より細かく多様なペン１４の検出状態を条件として最適且つ多様な装置動作を効率よく実行させることができる。
【００８５】
なお、前記実施形態では、ペン１４の収納状態での回転方向を検出するのに、ペン１４に内蔵された反応コイルＬとペン収納部１４Ａやペン立て部１４Ｂに埋設された複数の検出コイルＬ１，Ｌ２，…とによって電磁的に検出する構成としたが、例えば図９（Ａ）に示すように、ペン１４の検出すべき回転方向を９０度ずつの４方向（１）〜（４）とし、図９（Ｂ）に示すように、当該ペン１４の頭部を回転４方向でそれぞれ異なる形状ｍ１〜ｍ４として検出することで、収納時の回転方向がｍ１である場合には黒色の太線、ｍ２である場合には黒色の細線、ｍ３である場合には赤色の太線、ｍ４である場合には赤色の細線などとして装置動作を設定する構成としてもよい。
【００８６】
この場合、ペン１４の頭部に形成した４方向の異なる形状ｍ１〜ｍ４は、図１０に示すように、例えばペン収納部１４Ａの側部に合わせて設けた赤外線の送受光部からなる形状センサ１４ｍｓにより検出する構成としてもよい。
【００８７】
図９は、前記携帯端末装置１０においてペン１４の回転方向を４方向として検出し手書き入力の表示色および線幅の動作設定を行う場合のペン形状を示す図である。
【００８８】
図１０は、前記図９における回転４方向を異なる形状にしたペン１４の収納状態を検出するためのペン収納部１４Ａの構成を示す図である。
【００８９】
また、前記各実施形態では、ペン１４の収納状態の種類は、当該ペン１４の回転方向を検出することにより行う構成としたが、図１１に示すように、ペン１４をペン収納部１４Ａ内で長さ方向Ｙにスライド可能とし、このペン１４の収納部１４Ａ内のスライド位置をその側部に沿って設けた複数のペン位置センサ１４s1〜１４s4により検出する構成としてもよい。
【００９０】
図１１は、前記携帯端末装置１０においてペン１４の収納部１４Ａにおけるスライド位置を検出するためのペン位置センサ１４s1〜１４s4の配置構成を示す図である。
【００９１】
なお、前記各実施形態において記載した携帯端末装置１０のペン入力機能による各処理の手法、すなわち、図７のフローチャートに示す動作登録テーブル（ｎ）１３anの登録処理、図８のフローチャートに示すペン１４の検出対応処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１８ａに格納して配布することができる。そして、ペン入力機能を備えた種々のコンピュータ端末は、この外部記録媒体１８ａに記憶されたプログラムを記憶媒体読取部１８によって記憶装置１２に読み込み、この読み込んだプログラムによって動作が制御されることにより、前記各実施形態において説明したペン１４の状態検出による動作設定機能を実現し、前述した手法による同様の処理を実行することができる。
【００９２】
また、前記各手法を実現するためのプログラムのデータは、プログラムコードの形態として通信ネットワーク（インターネット）２０上を伝送させることができ、この通信ネットワーク（インターネット）２０に接続されたコンピュータ端末（プログラムサーバ２１）の記憶装置２２から前記のプログラムデータを取り込み、前述したペン１４の状態検出による動作設定機能を実現することもできる。
【００９３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９４】
【図１】本発明の実施形態に係るペン入力装置を搭載した携帯端末装置１０の外観構成を示す図であり、同図（Ａ）はその正面を手前から見た斜視図、同図（Ｂ）はその右側面の部分断面図。
【図２】前記携帯端末装置１０のペン収納部１４Ａおよびペン立て部１４Ｂに設けられた収納状態センサ１４a2および１４b2によるペン１４の回転方向検出原理を示す図。
【図３】前記携帯端末装置１０におけるペン１４の基準の向きＸおよびその８等分の回転検出方向に対応させたペン表面の設定状態表記マークＭ１，Ｍ２，…を示す図であり、同図（Ａ）は設定状態表記マークＭｎの表記例を示す図、同図（Ｂ）は８等分の回転検出方向を示す図。
【図４】前記携帯端末装置１０の電子回路の構成を示すブロック図。
【図５】前記携帯端末装置１０のＲＡＭ１３に登録されて記憶されるペン１４の収納／取り出し状態に応じた動作登録テーブル（１）１３a1，（２）１３a2を示す図。
【図６】前記携帯端末装置１０のＲＡＭ１３に登録されて記憶されるペン１４の収納／取り出し状態に応じた動作登録テーブル（３）１３a3，（４）１３a4を示す図。
【図７】前記携帯端末装置１０のペン入力制御プログラムにより実行される動作登録テーブル（ｎ）１３anの登録処理を示すフローチャート。
【図８】前記前記携帯端末装置１０のペン入力制御プログラムにより実行されるペン１４の検出対応処理を示すフローチャート。
【図９】前記携帯端末装置１０においてペン１４の回転方向を４方向として検出し手書き入力の表示色および線幅の動作設定を行う場合のペン形状を示す図。
【図１０】前記図９における回転４方向を異なる形状にしたペン１４の収納状態を検出するためのペン収納部１４Ａの構成を示す図。
【図１１】前記携帯端末装置１０においてペン１４の収納部１４Ａにおけるスライド位置を検出するためのペン位置センサ１４s1〜１４s4の配置構成を示す図。
【符号の説明】
【００９５】
１０  …携帯端末装置
１０Ａ…装置本体
１１  …ＣＰＵ
１２  …記憶装置
１３  …ＲＡＭ
１３a1〜１３a4…動作登録テーブル（１）〜（４）
１４Ａ…ペン収納部
１４Ｂ…ペン立て部
１４a1，１４b1…収納センサ
１４a2，１４b2…収納状態センサ
１４ｍｓ…形状センサ
１４s1〜１４s4…ペン位置センサ
１５  …表示部
１５ａ…タッチパネル
１６  …入力部
１７  …バス
１８  …記憶媒体読み取り部
１８ａ…外部記憶媒体
１９  …電送制御部
２０  …通信ネットワーク（インターネット）
２１  …プログラムサーバ
２２  …サーバ記憶装置
Ｌ１〜Ｌ３…検出コイル
Ｌ    …反応コイル
Ｍ１〜Ｍ３…設定状態表記マーク
【図１】
2005339264.tif 000003
【図２】
2005339264.tif 000004
【図３】
2005339264.tif 000005
【図４】
2005339264.tif 000006
【図５】
2005339264.tif 000007
【図６】
2005339264.tif 000008
【図７】
2005339264.tif 000009
【図８】
2005339264.tif 000010
【図９】
2005339264.tif 000011
【図１０】
2005339264.tif 000012
【図１１】
2005339264.tif 000013